(57)【要約】【課題】  廃油含有量の少ない処理水においても簡単な構造の装置で、かつメンテナンスの必要が極めて少ない油水分離装置を提供するものである。【解決手段】  円筒型容器の底部に回転羽根を設け、該円筒型容器の上部に廃油を含有する処理水の導入手段を設け、下部に排水手段を設け、かつ前記回転羽根を回転させる駆動手段を設けてなる油水分離装置。【選択図】図２
2017185447.tif 000002
【特許請求の範囲】
【請求項１】
円筒型容器の底部に回転羽根を設け、該円筒型容器の上部に廃油を含有する処理水の導入手段を設け、下部に排水手段を設け、かつ前記回転羽根を回転させる駆動手段を設けたことを特徴とする油水分離装置。
【請求項２】
請求項１記載の油水分離装置において、廃油を含有する処理水の導入手段及び排水手段に定水位弁を設けたことを特徴とする油水分離装置。
【発明の詳細な説明】
【技術分野】
【０００１】
本発明は、整備工場、採鉱設備、食品工場、ファーストフード店、鉄道整備施設、食品，道路等の清掃、駐車場、解体作業、マリーナ、バス，電車等の洗車場、ガソリンスタンド、トンネル現場、レストラン、燃料貯蔵庫、魚介類の養殖場等から発生する廃油を含む処理水の油水分離装置に関する。
【背景技術】
【０００２】
従来廃油を含む処理水は、処理槽に投入した後静置して油と水に分離した後、油層を吸油マット等を用いて油を回収していた。しかしながら薄い油層の場合には、吸油マットを使用しても充分回収できない欠点があったために、処理されないまま下水または側溝や排水路から河川に流出し自然環境の悪化を招いていた。薄い油層の別の処理法の場合、凝集剤を加え凝集させた後に汚泥をろ過分離して処理しているが、ろ過器の洗浄頻度が多く、汚泥を多量に発生するために、薄い油水の割にコストがかかっていた。
また図１に示すように、モーターで回転させた軸の上にボウル（回転体）を乗せて高速で回転させる装置で、ボウル内にディスク（分離板）が百数十枚入った液液分離機（遠心機）Ｓが知られている。しかしながらこの装置においても廃油の含有量が少ない場合は、油と水を充分に分離することは困難であった。さらに近年新しい処理方法として、油類を含有する処理水に、油吸着材の存在下において、油類と油吸着材とを渦巻流の中心部に集めるようなすり鉢形の凹部を有する渦巻流を生起させ、前記油類と油吸着材とを前記渦流中で接触させながら、下方に流下させて処理する、油水の分離方法が提案されている（特許文献１）。
本発明者は、前記特許文献1の処理方法に適した装置について種々研究を重ねた結果本発明を完成するに至った。
【０００３】
【先行技術文献】
【特許文献】
【０００４】
【特許文献１】特許第５０４４７４６号特許公報
【発明の概要】
【発明が解決しようとする課題】
【０００５】
本発明は、廃油含有量の少ない処理水においても簡単な構造の装置で、かつメンテナンスの必要が極めて少ない油水分離装置を提供するものである。
【課題を解決するための手段】
【０００６】
すなわち、本発明は、円筒型容器の底部に回転羽根を設け、該円筒型容器の上部に、廃油を含有する処理水の導入手段を設け、下部に排水手段を設け、かつ、該円筒型容器の底部の回転羽根を回転させる駆動手段を設けたことを特徴とする油水分離装置である。
【発明の効果】
【０００７】
本発明の油水分離装置によれば廃油含有量の少ない処理水においても限定された箇所に集油することができ、廃油濃度を高めることができるので廃油の除去処理を簡単かつ効率的に行うことができ、また連続的に廃油処理ができるので大量の廃油処理を行なうことができる。
【図面の簡単な説明】
【０００８】
【図１】従来の遠心型油水分離装置の断面図。
【図２】本発明の油水分離装置の概略斜視図。
【図３】本発明の油水分離装置の可動時の状態を示す概略斜視図。
【図４】円筒型容器の平面図。
【図５】セパレート型の油水分離装置の概略斜視図。
【図６】駆動部の端子及び回転羽根端子それぞれの形を示す平面図。
【発明を実施するための形態】
【０００９】
図２は、本発明の油水分離装置１の概略斜視図である。円筒型容器２の底部に回転羽根３を設ける。回転羽根３は、回転させるためにモーター等の駆動手段４に連結されている。また円筒型容器２の上部には廃油を含有する処理水（以下処理水という）を供給する供給管５を処理水の導入手段として設ける。この供給管５の接続方向としては円筒型容器２にその導入口を処理水６の渦巻流方向に向けて接線方向にして円筒型容器２の壁面に設けることが好ましい。
【００１０】
一方円筒型容器２の下部には排水手段として排水管７を設ける。この排水管７は、円筒型容器２内に生起する渦巻流に対向するように設けることができる。このようにすることによって渦巻流の流れを乱すことなく排水することができる。
【００１１】
油水分離装置１を連続的に運転して処理水を大量に処理するために供給管５と排水管７に定水位弁を設ける。すなわち供給管５に主弁８を設け、排水管７に副弁９を設ける。油水分離装置１を連続的に運転するには渦巻流が生起している状態で副弁９から清澄水を抜くと、その量に対応した処理水が供給管５から導入され、円筒型容器２内の水位は常にほぼ一定に保持することができる。このように連続的に処理することによって渦巻流の底頂部１０に廃油が留められる。廃油を集油する渦巻流は、円筒型容器２の規模または回転羽根３の大きさにもよるが、水面１１と渦巻流の底頂部１０の距離が水深の１／１０〜９／１０の範囲であることが好ましい。水面１１と渦巻流の底頂部１０の距離が９／１０以上になると渦巻流から集油された廃油が下方に分散し集油効率が悪くなる。
【００１２】
ある程度渦巻流の底頂部１０に廃油が集油されたら、例えばサイコロ状の油吸着材を投入したり、一旦渦巻流の流れを止めて円筒型容器２内の水位を上げて上層部にある油層部分をオーバーフロー等によって円管型容器２外に取り出す等の手段によって廃油を分離採取する。
分離採取された廃油は、燃料油・加工油にリユース・リサイクルが可能となる。
【００１３】
また円筒型容器２の内壁面に渦巻流の方向に対して接線方向に邪魔板１２を設けることが好ましい。邪魔板１２は円筒型容器２の大きさを考慮して適宜の枚数を設置すればよい。このように邪魔板１２を設けることによって渦巻流の乱れを防止することができると共に廃油が円筒型容器２の内壁面に付着することを防止することができる。
【００１４】
供給管５或いは円筒型容器２の外側に電熱等の加温設備を設けることが好ましい。
また、処理水６を直接加温する方法として、円筒型容器２内にスチームを当てることが好ましい。
加温設備は、油水温度を上げることにより、Ｃ重油等の粘性を有する廃油を渦巻流に集油し易くするだけでなく、油吸着材に付着し易くすることができる。
【００１５】
更に、本発明の油水分離装置１は、円筒型容器２と駆動手段４部とを分離型とすることもできる。例えば図５に示すように駆動部本体１３にはモーターが内蔵され、モーター軸の先端部に接合端子１４を設ける。この接合端子１４は図６に示すように例えば放射形の端子とし、一方円筒型容器２に設けられた回転羽根３の回転軸の端部に接合端子１４に嵌合する形状の嵌合端子１５を設ける。この油水分離装置を可動させるときは、接合端子１４と嵌合端子１５を嵌合することによって油水分離装置が形成される。また駆動本体１３には、モーターの回転数をコントロールするダイヤル目盛１６が設けられている。
【符号の説明】
【００１６】
２・・・円筒型容器
３・・・回転羽根
４・・・駆動手段
５・・・供給管
７・・・排水管
８・・・主弁
９・・・副弁
１０・・・渦巻流の底頂部
１１・・・水面
１２・・・邪魔板
【図１】
2017185447.tif 000003
【図２】
2017185447.tif 000004
【図３】
2017185447.tif 000005
【図４】
2017185447.tif 000006
【図５】
2017185447.tif 000007
【図６】
2017185447.tif 000008